(57)【要約】【課題】ＡＣ１００Ｖ用に設計された機器を、安全かつ安価にＡＣ１００Ｖ以外の電源地域に対応すること。【解決手段】商用電源１５と、前記商用電源の電圧に直接接続された気化器を予熱する予熱ヒータ１７と、前記商用電源に接続された降圧トランス４５とを備え、前記予熱ヒータ１７以外は前記降圧トランス４５の２次側に接続することにより、基本構成部品は１００Ｖ仕様のままで、電源電圧が１００Ｖ以外の地域でも使用可能となる安価で小型・軽量の燃焼制御装置を提供するこができる。【選択図】図１
2005226958.tif 000002
【特許請求の範囲】
【請求項１】
商用電源と、該商用電源を電圧変換手段を介して所定の電圧に変換した変換電源により負荷に供給する電源部を形成し、前記負荷は燃料を気化し燃焼用空気と混合して燃焼用空気と混合して燃焼を行う燃焼装置を構成する複数の負荷であって、前記複数の負荷に供給する電源を商用電源と変換電源で区別して供給するようにした燃焼制御装置。
【請求項２】
複数の負荷に供給する電源を負荷の電気容量に応じて、商用電源にするか、あるいは変換電源にするかを区別するようにした請求項１記載の燃焼制御装置。
【請求項３】
複数の負荷に供給する電源を所定の電気容量を超える負荷に対して商用電源とし、それ以外の負荷に対して変換電源とした請求項１または２記載の燃焼制御装置。
【請求項４】
変換電源は降圧トランスで構成した請求項１〜３のいずれか１項記載の燃焼制御装置。
【請求項５】
商用電源と、該商用電源を所定の電圧に変換する降圧トランスと、燃焼用の灯油を気化させる気化器と、前記気化器を予熱する予熱ヒータと、気化した灯油を燃焼させるバーナーと、燃焼空気を供給する対流用送風機と、前記気化器に灯油を送るポンプを備え、前期予熱ヒータの電源は商用電源とし、それ以外の負荷は前記降圧トランスの２次側に接続した燃焼制御装置。
【請求項６】
降圧トランスは１次と２次間を２重絶縁構造とした請求項４〜６に記載の燃焼制御装置。
【請求項７】
降圧トランスは少なくともＡＣ１００Ｖ以上の電圧をＡＣ１００Ｖ地域（日本）の電圧に降圧するようにした請求項４〜６に記載の燃焼制御装置。
【発明の詳細な説明】
【技術分野】
【０００１】
本発明は、灯油を気化させて燃焼させる石油燃焼器の燃焼制御装置に関するものである。
【背景技術】
【０００２】
従来、この種の燃焼制御装置を用いた温風暖房機を例にして説明する。図２は開放形石油温風暖房器（以下石油ファンヒーターと呼ぶ）の構造概略図である。１は金属キャビネット、２は置台、３はキャビネット１内に設けられた燃焼室である。４は燃焼室３の下部に設けたバーナーベース、５は４のバーナーベースに取付けられたバーナー、６は点火用放電プラグ、７は炎検知装置のフレームロッドで、それぞれバーナー５の炎孔に臨んでいる。８はブンゼン方式の気化器で、内部に予熱ヒーター（図示せず。一般に約３００Ｗ〜６５０Ｗ）が入っている。９はカートリッジ式油タンク、１０はこれを支える油受皿、１１は電磁ポンプ（約１Ｗ）、１２は電磁ポンプ１１と気化器８を接続する送油パイプ、１３はバーナー５のノズルの開閉棒を動作させるソレノイド（約２０Ｗ）である。そして１４は対流用送風機（約３０Ｗ）で、キャビネット１の背面に取付けられている。
【０００３】
図３は従来発明の制御回路図で、１５は商用電源（ＡＣ１００Ｖ）、１１は気化器８に灯油を送るための電磁ポンプ。１７は気化器を予熱するための予熱ヒーター 、１８はこの予熱ヒーターに接続された駆動用トライアックでマイコン４４からの出力をホトトライアックカプラ２０−（ａ）と入力部ダイオード２０−（ｂ）でＯＮ／ＯＦＦ制御し、気化器１２の温度を電磁ポンプ１１から送られた灯油を気化する温度に保つように成っている。１４は対流用送風機。２５は高電圧を発生させ気化した灯油に着火する点火器（約０．１Ｗ）、１３はノズルを開閉するソレノイド。マイコン４４を含む回路（約２Ｗ）も２６の電源トランスを介して商用電源１５に接続されている（例えば特許文献1参照）。
【特許文献１】特開平６−２８１１３４号公報
【発明の開示】
【発明が解決しようとする課題】
【０００４】
しかしながら、前記従来の構成の燃焼器を、商用電源の電圧が日本（ＡＣ１００Ｖ）のほぼ倍となる中国や西欧諸国に日本の燃焼器をそのまま使用しようとすると、一般に気化器を予熱する予熱ヒータは３００Ｗ〜６５０Ｗ程度あるため、予熱ヒータも含めて７００ＶＡ程度の大容量の降圧トランスを商用電源側に接続する必要があり、機器本体内部に高圧トランスを設置できまないばかりか、重量も重く、また高価なものになってしまう課題を有していた。また、商用電源に接続されたＡＣ１００Ｖ負荷群（予熱ヒータ、電磁ポンプ、対流用送風機、制御装置の電源等）を全てＡＣ２２０Ｖ仕様にしようとすると、電圧地域に応じた負荷群を必要とし、日本との部品共用化ができないばかりか、設計そのものの見直しが必要となってしまう課題も有していた。
【０００５】
本発明は、前記従来の課題を解決するもので、対流用送風機や制御装置の電源はＡＣ１００Ｖの商用電源用のままで、少なくとも大容量のヒータのみをＡＣ２２０Ｖ対応にすることで、小型の降圧トランスを用いてＡＣ１００Ｖ機器をＡＣ２２０Ｖ地域対応を可能とする、安全で安価な燃焼制御装置を提供することを目的とする。
【課題を解決するための手段】
【０００６】
前記従来の課題を解決するために、本発明の燃焼制御装置は、商用電源と、該商用電源を電圧変換手段を介して所定の電圧に変換した変換電源により負荷に供給する電源部を形成し、前記負荷は燃料を気化し燃焼用空気と混合して燃焼用空気と混合して燃焼を行う燃焼装置を構成する複数の負荷であって、前記複数の負荷に供給する電源を商用電源と変換電源で区別して供給したものである。
【０００７】
これによって商用電源の電圧の異なる地域で燃焼制御装置を動作させる場合、変換電源の仕様と商用電源に直接接続する負荷だけを当該地域の電圧仕様に変更するだけで対応可能となる。すなわち、変換電源に接続された複数の負荷の電圧仕様はそのままで様々な電圧地域に対応することができる。
【発明の効果】
【０００８】
本発明の燃焼制御装置は、ＡＣ１００Ｖ用に設計された機器を、安全かつ安価にＡＣ１００Ｖ以外の電源地域に対応することができる。
【発明を実施するための最良の形態】
【０００９】
第１の発明は、燃料を気化し燃焼用空気と混合して燃焼用空気と混合して燃焼を行う燃焼装置を構成する複数の負荷に供給する電源を、商用電源と変換電源で区別して供給することにより、商用電源の電圧の異なる地域でも、変換電源の仕様と商用電源に直接接続する負荷だけを該地域の電圧仕様に変更するだけで燃焼制御装置を動作可能にできる。すなわち、変換電源に接続された複数の負荷の電圧仕様はそのままで様々な電圧地域に対応することができる。
【００１０】
第２の発明は、複数の負荷に供給する電源を負荷の電気容量に応じて、商用電源にするか、あるいは変換電源にするかを区別するようにすることにより、適宜一部の負荷を商用電源側に接続することになり、変換電源の容量を小さくでき、形状も小型化することができる。
【００１１】
第３の発明は、複数の負荷に供給する電源を所定の電気容量を超える負荷に対して商用電源とし、それ以外の負荷に対して変換電源とすることにより、変換電源の電気容量を所定値以下にすることができ、変換電源を小型化することができる。
【００１２】
第４の発明は、変換電源を降圧トランスで構成することにより、様々な電圧仕様への対応は降圧トランスの１次と２次の巻き線仕様の変更のみで対応が容易であるとともに、電圧負荷容量はコアサイズの変更で対応できるため、基本構成を変更することなく、様々な電圧地域に容易に変更対応することができる。
【００１３】
第５の発明は、商用電源と、燃焼用の灯油を気化させる気化器と、前記商用電源の電圧に直接接続された気化器を予熱するヒータと、気化した灯油を燃焼させるバーナーと、燃焼空気を室内に温風として送出するための対流用送風機と、前記気化器に灯油を送る電磁ポンプと、前記商用電源に接続された降圧トランスとを備え、前記ヒータ以外は前記降圧トランスの２次側に接続することにより、基本構成部品は１００Ｖ仕様のままで、２２０Ｖ対応が可能となり、安価で小型・軽量となる。
【００１４】
第６の発明は、特に、第４の発明の降圧トランスの１次と２次間を２重絶縁構造とすることにより、降圧トランスの２次側となる１００Ｖ部分は、大地と完全に絶縁されるため、感電等の不安全になることがなくなる。
【００１５】
第７の発明は、特に、第４の発明の降圧トランスは少なくともＡＣ１００Ｖ以上の電圧をＡＣ１００Ｖ地域（日本）の電圧に降圧することにより、ＡＣ１００Ｖ地域の負荷を使用しつつ最小限の部品変更で様々な電源電圧の国に対応できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における燃焼制御装置の回路図を示すものである。なお、従来と同様の構成の部分は同一品番を付与し、説明は省略する。
【００１８】
図１において、予熱ヒータ１７はリレー１８−（ａ）の接点を介して商用電源１５に接続されている。絶縁された降圧トランス４５は１次側は商用電源に直接接続されており、２次側はＡＣ１００Ｖが出力されるようになっており、対流用送風機１４や、電磁ポンプ１１、点火器２５、ソレノイド２４が接続され、それぞれリレー２１−（ａ）、２２−（ａ）、２３−（ａ）、２４−（ａ）が降圧トランスとの間に接続されている。また、マイコン４４を含む回路の電源用トランス２６も降圧トランス１５の２次側に接続されている。
【００１９】
以上のように予熱ヒータ１７のみ商用電源に接続し、降圧トランス４５の２次側はＡＣ１００Ｖとすることで、予熱ヒータ１７以外の負荷はＡＣ１００Ｖで設計されたままでよい。
【００２０】
また、通常対流送風機１４や電磁ポンプ１１、点火器２５、ソレノイド１３等はせいぜい２０〜３０Ｗ程度であるため高圧トランス４５の容量も相当の物でよく、予熱ヒータ１７（一般に３５０Ｗ〜６５０Ｗ）も含めて降圧するより約１桁小型の容量とすることができる。
【００２１】
そして、降圧トランス４５を２重絶縁構造とすることで高圧トランス４５の２次側は大地に対して絶縁が確保された構成となるため、燃焼制御装置の外郭が金属等であり、使用者が容易に手で触れる場合であっても感電等をする恐れがなく極めて安全性の高い燃焼制御装置を実現することができる。
【００２２】
さらに、商用電源が２２０Ｖの地域に係わらず、２３０Ｖや２４０Ｖ及び１２０Ｖ地域であっても、降圧トランスと予熱ヒータの見直しをするだけで、降圧トランスの２次側は常に１００Ｖとすることで、予熱ヒータ以外の負荷の見直しは必要なくなり、極めて容易に電源電圧の対応が可能となる。
【００２３】
また、本実施の形態では極めて電気容量の大きい予熱ヒータを降圧トランスの１次側に接続したが、消費電力の大きい対流用送風機も仕向け地の電圧に対応させ１次側に接続すればさらに降圧トランスは小型にすることができる。
【産業上の利用可能性】
【００２４】
以上のように、本発明にかかる燃焼制御装置は、ＡＣ１００Ｖ用に設計された機器を、安全かつ安価にＡＣ１００Ｖ以外の電源地域に対応することが可能となるので、石油を気化して燃焼させる暖房器や、給湯器等の用途にも適用できる。
【図面の簡単な説明】
【００２５】
【図１】本発明の実施の形態１における燃焼制御装置の回路図
【図２】従来の燃焼制御装置の本体構成図
【図３】従来の燃焼制御装置の回路図
【符号の説明】
【００２６】
１４  対流用送風機
１５  商用電源
１７  予熱ヒータ
４５  降圧トランス
【図１】
2005226958.tif 000003
【図２】
2005226958.tif 000004
【図３】
2005226958.tif 000005